(57)【要約】【課題】可撓性のあるディスクを、短時間に精度よく搬送する。【解決手段】ディスクホルダ３０が、ケーシング１１の内部空間から引き出される際に、ディスクホルダ３０を、内部に格納された光ディスク２０とともに湾曲させる。これにより、光ディスク２０は、湾曲する１組のシート部材３１,３５によって、安定的に挟持される。従って、光ディスク２０が内部空間から引き出される際に、ディスクホルダ３０に対して相対的に移動することを効果的に回避することができる。【選択図】図１
2008234720.tif 000002
【特許請求の範囲】
【請求項１】
可撓性を有するディスクを搬送するディスク搬送方法であって、
前記ディスクを１組の可撓性を有するシートで挟む工程と；
前記ディスクを挟んだ前記１組のシートを、前記ディスクとともに湾曲させる工程と；を含むディスク搬送方法。
【請求項２】
可撓性を有するディスクを搬送するディスク搬送方法であって、
前記ディスクを湾曲させて保持する保持工程と；
湾曲させて保持された前記ディスクを搬送する搬送工程と；を含むディスク搬送方法。
【請求項３】
前記保持工程では、前記ディスクの記録領域以外を保持することを特徴とする請求項２に記載のディスク搬送方法。
【請求項４】
可撓性を有するディスクを収容するディスクカートリッジであって、
前記ディスクを可撓性を有する１組のシートで挟み、前記ディスクと前記１組のシートとを湾曲させた状態で収容するディスクカートリッジ。
【請求項５】
前記ディスクを挟む前記１組のシートを備えるディスクホルダと；
前記１組のシートに挟まれた状態で前記ディスクが格納された前記ディスクホルダを、前記ディスクとともに湾曲させた状態で出し入れ可能に収容するケーシングと；を備える請求項４に記載のディスクカートリッジ。
【請求項６】
可撓性を有するディスクを収容するディスクカートリッジであって、
前記ディスクを挟む１組のシートを備えるディスクホルダと；
前記ディスクが前記１組のシートに挟まれた状態で格納された前記ディスクホルダの湾曲状態をコントロールする機構と；
前記ディスクホルダを出し入れ可能に収容するケーシングと；を備えるディスクカートリッジ。
【請求項７】
前記ケーシングは、複数の前記ディスクホルダを収容することを特徴とする請求項５又は６に記載のディスクカートリッジ。
【請求項８】
可撓性のあるディスクに対して、情報の記録及び再生のうちの少なくとも一方を行う情報記録再生装置であって、
請求項４〜７のいずれか一項に記載のディスクカートリッジと；
前記ディスクに対して情報の記録及び再生のうちの少なくとも一方を行う処理装置と；
前記ディスクカートリッジと前記処理装置との間で、前記ディスクの搬送を行う搬送装置と；を備える情報記録再生装置。
【請求項９】
前記搬送装置は、前記ディスクを湾曲させて保持する保持面を有することを特徴とする請求項８に記載の情報記録再生装置。
【請求項１０】
前記保持面は、前記ディスクの記録領域以外を保持することを特徴とする請求項９に記載の情報記録再生装置。
【発明の詳細な説明】
【技術分野】
【０００１】
本発明は、ディスク搬送方法、ディスクカートリッジ及び情報記録再生装置に係り、さらに詳しくは、可撓性を有するディスクを搬送するディスク搬送方法、可撓性を有するディスクを収容するディスクカートリッジ、及び前記ディスクカートリッジを備える情報記録再生装置に関する。
【背景技術】
【０００２】
近年、情報のデジタル化に伴い、記録媒体としてのディスクへ記録される情報の高密度化に対する要求が高まっている。例えば、光ディスクの分野では、情報の記録及び再生の際に、光ディスクの記録層に集光するレーザ光のスポット径を小さくすることが、情報の高密度化のための基本的な方法の一つにあげられる。
【０００３】
レーザ光を絞り込んで、光ディスクに対する情報の記録及び再生を行う際には、光ディスクを回転させたときの面の振れ、すなわち面振れをある程度抑制することが重要である。そこで、光ディスクの基材に可撓性を有するシートを用い、光ディスクに対して情報の記録等を行う際には、回転する光ディスクに対して、空気力学的な力を作用させることで面振れを抑制する装置が提案されている（例えば特許文献１〜３参照）。また、光ディスクの基材として可撓性を有するシートを用いる場合には、光ディスク自体が薄くなるという利点があり、例えば非特許文献１に示されるように、可撓性を有する光ディスクを複数枚収納することで、単位体積あたりの記録容量を大きくしたディスクカートリッジなどが登場するに至っている。
【０００４】
上述の装置に用いられる可撓性を有する光ディスク（以下、可撓性ディスクと略述する）は、ディスク基板が軟弱な薄膜シートであることからその取り扱いが難しく、トレイ或いはケースに格納された状態でハンドリングする必要性がある。しかしながら、可撓性ディスクをトレイ等に格納すると、何らかの原因で可撓性ディスクがトレイに対して相対的に移動してしまうことがあるため、例えば、トレイ等とともに可撓性ディスクを搬送する場合などには、搬送動作時のトレイの加速度を極力小さくして、可撓性ディスクに慣性力が作用しないような配慮が必要となる。この理由から、可撓性ディスクの搬送速度の上限が決まってしまうため、例えば、可撓性ディスクをスピンドルへローディングするには、ある程度の長時間を要し、特に、ディスクカートリッジに収容された複数枚の可撓性ディスクを選択的に取り出して、繰り返しスピンドルへの搬送を行なう装置などでは、待機時間が著しく長期化することとなっていた。
【０００５】
【特許文献１】特開２００５−３１７９１３号公報
【特許文献２】特開２００６−１０７６９８号公報
【特許文献３】特開２００６−１０７６９９号公報
【非特許文献１】ODS2006発表MP25(ODS: Optical Data Storage)“Nanoprinted Thin Film Optical Discs TB Cartridge and Compact Auto Disk Changer Named as SVOD”
【発明の開示】
【発明が解決しようとする課題】
【０００６】
本発明はかかる事情の下になされたもので、その第１の目的は、可撓性のあるディスクを、短時間に精度よく搬送することが可能なディスク搬送方法を提供することにある。
【０００７】
また、本発明の第２の目的は、可撓性のあるディスクの出し入れを短時間に精度よく行うことが可能なディスクカートリッジを提供することにある。
【０００８】
また、本発明の第３の目的は、可撓性ディスクのあるディスクに対して、短時間に精度よく情報の記録及び再生のいずれかを開始することが可能な情報記録再生装置を提供することにある。
【課題を解決するための手段】
【０００９】
本発明は第１の観点からすると、可撓性を有するディスクを搬送するディスク搬送方法であって、前記ディスクを１組の可撓性を有するシートで挟む工程と；前記ディスクを挟んだ前記１組のシートを、前記ディスクとともに湾曲させる工程と；を含むディスク搬送方法である。
【００１０】
これによれば、可撓性を有するディスクを挟んだ１組のシートが湾曲されることで、ディスクとシートとの間の摩擦力が大きくなり、この摩擦力によって、ディスクは１組のシートに拘束される。したがって、シートとともにディスクを高速に搬送することが可能となる。
【００１１】
本発明は第２の観点からすると、可撓性を有するディスクを搬送するディスク搬送方法であって、前記ディスクを湾曲させて保持する保持工程と；湾曲させて保持された前記ディスクを搬送する搬送工程と；を含むディスク搬送方法である。
【００１２】
これによれば、ディスクは湾曲された状態で搬送される。したがって、ディスクを高速に搬送することが可能となる。
【００１３】
本発明は第３の観点からすると、可撓性を有するディスクを収容するディスクカートリッジであって、前記ディスクを可撓性を有する１組のシートで挟み、前記ディスクと前記１組のシートとを湾曲させた状態で収容するディスクカートリッジである。
【００１４】
これによれば、可撓性を有するディスクを挟んだ１組のシートが湾曲されることで、ディスクとシートとの間の摩擦力が大きくなり、この摩擦力によって、ディスクは１組のシートに拘束される。したがって、シートごとディスクをケーシングに対して高速に出し入れすることが可能となる。
【００１５】
本発明は第４の観点からすると、可撓性を有するディスクを収容するディスクカートリッジであって、前記ディスクを挟む１組のシートを備えるディスクホルダと；前記ディスクが前記１組のシートに挟まれた状態で格納された前記ディスクホルダの湾曲状態をコントロールする機構と；前記ディスクホルダを出し入れ可能に収容するケーシングと；を備えるディスクカートリッジである。
【００１６】
これによれば、可撓性を有するディスクが格納されたディスクホルダを湾曲させることで、ディスクが格納されたディスクホルダをケーシングに対して高速に出し入れすることが可能となる。また、ディスクホルダがケーシングに収容されているときには、ディスクホルダを水平にすることで、ディスクに無理な力をかけることなく、収容することが可能となる。
【００１７】
本発明は第５の観点からすると、可撓性のあるディスクに対して、情報の記録及び再生のうちの少なくとも一方を行う情報記録再生装置であって、本発明のディスクカートリッジと；前記ディスクに対して情報の記録及び再生のうちの少なくとも一方を行う処理装置と；前記ディスクカートリッジと前記処理装置との間で、前記ディスクの搬送を行う搬送装置と；を備える情報記録再生装置である。
【００１８】
これによれば、情報記録再生装置は、本発明のディスクカートリッジを備えている。したがって、ディスクをディスクカートリッジに対して迅速に収容しあるいは取り出すことが可能となり、結果的に、ディスクに対して、短時間に精度よく情報の記録及び再生のいずれかを開始することが可能となる。
【発明を実施するための最良の形態】
【００１９】
以下、本発明の一実施形態を図１〜図８に基づいて説明する。図１には、本実施形態にかかるディスク装置１００が備えるディスクカートリッジ１０と記録再生ユニット５０が示されている。ディスク装置１００は、可撓性のある光ディスク２０に対し情報の記録及び再生を行なうことが可能な装置であり、図１に示されるように、複数の光ディスク２０を収容するディスクカートリッジ１０と、光ディスク２０に対して、情報の記録及び再生を行う記録再生ユニット５０を備えている。
【００２０】
光ディスク２０としては、図２示されるように、例えば、厚さ９０μｍ、外径１２０ｍｍで中央に丸孔が形成された円形板状のポリカーボネイト製のシート２０ａをディスク基板とし、このシート２０ａの−Ｚ側の図２おいて着色して示された内周直径５０ｍｍから外周直径１１６ｍｍまでの領域２０ｂに記録層が成膜された可撓性を有する光ディスクが用いられる。
【００２１】
記録層は、シート２０ａの領域２０ｂに、まずスタンパのピッチ０．６μｍ、幅０．３μｍのグルーブを熱転写した後に、スパッタリングにより順次厚さ１２０ｎｍのＡｇ反射層、厚さ７ｎｍの（ＺｒＯ２−Ｙ２Ｏ３）−ＳｉＯ２層、厚さ１０ｎｍのＡｇＩｎＳｂＴｅＧｅ層、厚さ２５ｎｍのＺｎＳ−ＳｉＯ２層、厚さ１０ｎｍのＳｉ３Ｎ４層を成膜することにより形成されている。
【００２２】
また、光ディスク２０の表裏面には、記録層やディスク基板の保護のために、スピンコートしたＵＶ樹脂に紫外線を照射して硬化することにより、厚さ１０μｍの透明保護膜が形成され、中央部には、例えば、厚さ０．１ｍｍ、外径２９ｍｍで中心部に内径１５ｍｍの丸孔が形成された円形プレート２０ｃが、その中心がシート２０ａの中心と一致するように取りつけられている。なお、本実施形態では、円形プレート２０ｃの素材として、パーマロイ（磁性体材料）を採用している。
【００２３】
図１に戻り、前記ディスクカートリッジ１０は、可撓性のある光ディスク２０を例えば３枚収容することが可能なディスクカートリッジであり、直方体状のケーシング１１、及び光ディスク２０を格納して、ケーシング１１の内部に出入り可能に収容される３つのディスクホルダ３０などを有している。
【００２４】
前記ケーシング１１は、−Ｙ側の面に長手方向をＸ軸方向とする開口部１１ａが形成された中空部材であり、図３に示されるように、−Ｘ側の内壁面には、Ｙ軸方向に延設された４本のガイド１２Ａ,１２Ｂ,１２Ｃ,１２ＤがＺ軸方向に沿って等間隔に固定され、＋Ｘ側の内壁面の、前記ガイド１２Ａ,１２Ｂ,１２Ｃ,１２Ｄに対向する位置には、Ｙ軸方向に延設された４本のガイド１３Ａ,１３Ｂ,１３Ｃ,１３Ｄが、Ｚ軸方向に沿って等間隔に固定されている。
【００２５】
これらのガイド１２Ａ〜１２Ｄは、＋Ｘ側端部が−Ｘ側端部よりも下方に位置するように傾斜し、ガイド１３Ａ〜１３Ｄは、−Ｘ側端部が＋Ｘ側端部よりも下方に位置するように傾斜した状態で、ケーシング１１の内壁面にそれぞれ固定されている。本実施形態では、各ガイド１２Ａ〜１２Ｄ,１３Ａ〜１３Ｄは、ＸＹ面に対して１０度程度傾斜している。なお、ガイド１２Ａ〜１２Ｄ,１３Ａ〜１３Ｄは、ガイド１２Ａ,１３Ａ、ガイド１２Ｂ,１３Ｂ、ガイド１２Ｃ,１３Ｃ、ガイド１２Ｄ,１３Ｄそれぞれを、Ｘ方向に湾曲した一体型の湾曲プレートとしてもよい。例えば、ガイド１２Ａ〜１２Ｄ,１３Ａ〜１３Ｄの代わりに、曲率半径４００ｍｍの湾曲プレートをケーシング１１に具備させることにより、本実施形態と同等の湾曲状態でディスクホルダ３０を湾曲させた状態で保持することができる。
【００２６】
図４（Ａ）は、前記ディスクホルダ３０の斜視図であり、図４（Ｂ）は、前記ディスクホルダ３０の展開斜視図である。ディスクホルダ３０は、図４（Ａ）及び図４（Ｂ）を総合するとわかるように、光ディスク２０を一側と他側（上下）から挟み込む１組のシート部材３１,３５、及びシート部材３１に取り付けられた１組の係止部材３２などを有している。
【００２７】
シート部材３１は、平面視正方形で可撓性のある、例えば厚さ０．１ｍｍのポリエチレンテフタレートを素材とするシート状の部材である。このシート部材３１は、中央部から＋Ｘ側端にかけてＵ字状のスロット３１ａが形成されている。また、図５に示されるように、シート部材３１の上面には、載置される光ディスク２０を取り囲むように長手方向を円周方向として、複数（７つ）の位置決め部材３３が貼り付けられている。
【００２８】
前記１組の係止部材３２は、例えばシート部材３１と同様に、可撓性のある素材からなる、長手方向をＹ軸方向とする部材である。この係止部材３２それぞれは、スロット３１ａの＋Ｙ側と−Ｙ側で、係止部材３２下面の＋Ｘ側端部とシート部材３１上面の＋Ｘ側端部とがそれぞれ接着されることで、シート部材３１に取り付けられている。
【００２９】
前記シート部材３５は、シート部材３１と同様に、平面視正方形で可撓性のあるシート状の部材である。このシート部材３５は、中央部に直径３０ｍｍ程度の開口３５ａが形成され、＋Ｘ側端部には、１組の矩形状の切欠部３５ｂが形成されている。また、シート部材３５は、シート部材３１よりもＹ軸方向の寸法が大きく、＋Ｙ側のコーナー部分には、それぞれ＋Ｘ方向及び−Ｘ方向へ突出するストッパ部３５ｃが形成されている。そして、−Ｙ側端部には、略三角形状の張り出し部３５ｅを介して正方形のタグ３５ｄが−Ｙ方向に延設されている。このタグ３５ｄは、例えば図３に示されるように、ディスクカートリッジ１０に収容されるディスクホルダ３０ごとに、相互に異なる位置に設けられている。
【００３０】
上述した、シート部材３１とシート部材３５とは、図４（Ｂ）に着色して示されるシート部材３１上面の−Ｘ側端部と、シート部材３５下面の−Ｘ側端部とが接着されることで一体化されている。これによりディスクホルダ３０は、一例として図６に示されるように、シート部材３１及びシート部材３５とで光ディスク２０を挟み、係止部材３２の−Ｘ側端部をシート部材３５の切欠部３５ｂに係止することで、光ディスク２０を１組のシート部材３１,３５の間に格納することが可能となっている。また、この場合には、光ディスク２０は、円形プレート２０ｃが、シート部材３５に設けられた開口３５ａに挿入され、光ディスク２０の外縁が位置決め部材３３に包囲された状態となっている。
【００３１】
上記のように構成されたディスクホルダ３０は、ケーシング１１の開口部１１ａを介して、図３に示されるように、ディスクホルダ３０の＋Ｘ側及び−Ｘ側の外縁部が、上下方向に隣接するガイドの間にそれぞれ挿入されることで、ガイド１２Ａ〜１２Ｄ、及びガイド１３Ａ〜１３Ｄの傾斜により、下方に凸となるように湾曲した状態でケーシング１１の内部空間に収容される。また、シート部材３５に設けられたストッパ部３５ｃは、図１に示されるように、ディスクホルダ３０が、ケーシング１１の開口部１１ａから−Ｙ方向へ引き出されたときに、ケーシング１１の内壁面などに設けられた不図示の係止部に係止するようになっており、これによってディスクホルダ３０が、ケーシング１１から脱落することが回避されるようになっている。なお、本実施形態では、ディスクホルダ３０は、例えば曲率半径を７００ｍｍとして湾曲した状態で、ケーシング１１の内部に収容されている。
【００３２】
図１に戻り、前記記録再生ユニット５０は、ディスクカートリッジ１０の−Ｙ側近傍に配置され、スピンドル５２とピックアップ５４とを備えている。
【００３３】
スピンドル５２は、円柱状の大径部と、該大径部の上端に設けられた小径部とを有する段付き円柱状の部材である。光ディスク２０は、円形プレート２０ｃの丸孔にスピンドル５２の小径部が挿入され、大径部の上面によって下方から支持されることにより、スピンドル５２にチャックされ、不図示の駆動機構によってスピンドル５２が回転されることで、例えば約４０００〜１５０００ｒｐｍの範囲で高速回転される。
【００３４】
ピックアップ５４は、スピンドル５２にチャックされた光ディスク２０の下方（−Ｚ側）に位置するように配置され、光源、対物レンズを含む光学系、受光素子などを含む周知の構成のものが用いられている。ピックアップ５４は、回転する光ディスク２０の記録面にレーザ光を集光するとともに、記録面からの反射光を受光することで光ディスク２０からの情報の読み取り（再生）、及び光ディスク２０に対する情報の書き込み（記録）などを行う。そして、不図示のピックアップ駆動装置によってＹ軸方向へ駆動される。
【００３５】
また、記録再生ユニット５０は、例えば不図示の駆動装置によって、Ｚ軸方向及びＹ軸方向へ移動可能となっている。
【００３６】
次に、上述したディスク装置１００により、光ディスク２０に対し情報の記録及び再生を行なう際の動作について、図７（Ａ）〜図８を参照しつつ説明する。ディスク装置１００は、たとえば上位装置やユーザなどから、光ディスク２０に対する情報の記録又は再生の指示を受けると、不図示の引き出し装置により、ケーシング１１に収容されたディスクホルダ３０のうち、指示内容と合致するディスクホルダ３０のシート部材３５に形成された張り出し部３５ｅを把持し、−Ｙ方向へ引くことで、例えば図１に示されるように、ディスクホルダ３０をケーシング１１の開口部１１ａから引き出す。これによって、シート部材３１はその全部がケーシング１１の内部空間から引き出される。なお、ディスクホルダ３０が引き出されている間は、張り出し部３５ｅは、引き出し装置によって下方に凸に湾曲した状態で保持されている。
【００３７】
次に、引き出されたディスクホルダ３０の下方に位置する記録再生ユニット５０を上昇させることで、図７（Ａ）に示されるように、スピンドル５２の小径部を、スロット３１ａを介して、光ディスク２０の円形プレート２０ｃへ嵌合させる。これにより、光ディスク２０は、スピンドル５２にチャックされる。
【００３８】
次に、図７（Ｂ）に示されるように、シート部材３５の１組の切欠部３５ｂにそれぞれ係止された係止部材３２を開放する。これにより、シート部材３１とシート部材３５とが開放され、ディスクホルダ３０から光ディスク２０を取り出すことが可能となる。
【００３９】
次に、記録再生ユニット５０を僅かに下降させて、チャックした光ディスク２０の円形プレート２０ｃを、シート部材３５の開口３５ａから引き出し、その後、記録再生ユニット５０を＋Ｘ方向へ移動することで、図７（Ｃ）に示されるように、スピンドル５２をスロット３１ａに沿って移動させ、スピンドル５２にチャックされていた光ディスク２０を、ディスクホルダ３０から取り出す。
【００４０】
次に、ディスクホルダ３０から取り出された光ディスク２０を保持する記録再生ユニット５０を、一例として図８に示されるように、安定化部材４０の下方へ移動する。この状態から、記録再生ユニット５０によって、光ディスク２０が回転されると、光ディスク２０にはその回転により発生する遠心力により水平な状態になろうとする復元力と、その回転と面形状の作用により生じる空気流の差に基づく圧力変化による反発力が発生する。その際に安定化部材４０は、光ディスク２０に対し空気力学的な力を作用させ、光ディスク２０に生じる復元力と反発力のつりあいをとることにより、いわゆる光ディスク２０の面ぶれ（光ディスク２０の回転軸方向の振れ）を低減する。そして、記録再生ユニット５０は、光ディスク２０の回転が安定すると、ピックアップ５４をＹ軸方向へ移動させつつ、領域２０ｂ（記録層）にレーザ光を照射することにより、光ディスク２０に対して情報の記録又は読み出しを行う。
【００４１】
なお、光ディスク２０に対する情報の記録又は読み出しが完了した後は、上述した手順と逆の手順で、記録再生ユニット５０に保持された光ディスク２０を、ディスクホルダ３０へ格納した後、ケーシング１１の内部空間に収容することができる。
【００４２】
以上説明したように、本実施形態では、光ディスク２０を格納するディスクホルダ３０は湾曲された状態で、ケーシング１１の内部空間に収容される。これにより、光ディスク２０は、湾曲する１組のシート部材３１,３５によって、安定的に挟持されるため、光ディスク２０が、ディスクホルダ３０の内部で移動することがなく、例えば、光ディスク２０とディスクホルダ３０とが摺動することにより、光ディスク２０に記録された情報が欠落するといった問題を回避することが可能となる。
【００４３】
また、ディスクホルダ３０がケーシング１１の内部空間から引き出される際にも、ディスクホルダ３０は、収容時と同様に湾曲された状態が維持される。したがって、光ディスク２０は、ケーシング１１の内部空間から外部空間に搬送される際にも、湾曲する１組のシート部材３１,３５によって、安定的に挟持され続けるため、搬送途中で光ディスク２０がディスクホルダ３０に対して相対的に移動することを回避することができる。これにより、例えば、光ディスク２０と記録再生ユニット５０との位置だしを迅速かつ正確に行うことが可能となり、光ディスク２０のミスチャックを回避することが可能となる。
【００４４】
また、上記実施形態では、光ディスク２０が横（水平）になった状態で、ディスクカートリッジ１０へ収容される場合について説明したが、これに限らず、光ディスク２０を縦にして収容してもよい。この場合にも、ディスクホルダ３０が湾曲されことで、光ディスク２０は、ディスクホルダ３０の１組のシート部材３１,３５に安定的に挟持され続けるため、搬送途中などに光ディスク２０がディスクホルダ３０に対して相対的に移動することが回避される。
【００４５】
なお、上記実施形態では、光ディスク２０を下方に凸となるように湾曲させたが、これに限らず、光ディスク２０を上方に凸となるように湾曲させてもよい。
【００４６】
また、ディスクホルダ３０のシート部材３１,３５の、光ディスク２０に接触する部分の材料を工夫する、潤滑処理を行う、あるいは不織布を貼り付けるなどの工夫により、光ディスク２０とディスクホルダ３０との摺動に起因する問題は回避できる。
【００４７】
例えば、ケーシング１１へのディスクホルダ３０の収納を、図９（Ａ）に示される状態から、図９（Ｂ）に示されるように、各ディスクホルダ３０が、平らとなる状態で行うことも可能である。また、ディスクカートリッジ１０のガイド１２Ａ〜１２Ｄ,１３Ａ〜１３Ｄの傾斜角を変えることが出来るような機構を設け、例えば、保存状態では図９（Ｂ）に示されるようにディスクホルダ３０を水平にして収容し、光ディスク２０のローディングの際に、図９（Ａ）に示されるように、ディスクホルダ３０を湾曲させることとしてもよい。
【００４８】
また、本実施形態では、ディスクホルダ３０のシート部材３５の−Ｙ側端部に張り出し部３５ｅが形成されている。これにより、ディスクホルダ３０をケーシング１１から引き出す際に、シート部材３５の−Ｙ側のコーナー部分が、ケーシング１１の開口部１１ａ近傍にひっかかるのを防止することができるようになっている。
【００４９】
なお、上記実施形態では、光ディスク２０がディスクホルダ３０から直接記録再生ユニット５０へ受け渡される場合について説明したが、これに限らず、ディスクホルダ３０と記録再生ユニット５０との間を、例えば搬送アーム等の搬送装置を用いて搬送してもよい。この場合、例えば、図１０（Ａ）に示されるように、上面が上方に凸となるように湾曲した保持部２０１を有する搬送アーム２００を用い、図１０（Ｂ）に示されるように、保持部２０１の保持面で光ディスク２０の円形プレート２０ｃを、例えば磁気吸着することで、光ディスク２０を、母線がＹ軸と平行となるように湾曲させる。
【００５０】
これにより、光ディスク２０の見かけ上の剛性を上げることができ、搬送中の光ディスク２０のばたつきを軽減することができる。また、この搬送においては、搬送方向を母線と平行となる方向とすることにより、搬送中のディスクのばたつきをより軽減することが可能となる。なお、保持部２０１の保持面は光ディスク２０の領域２０ｂを除いた内周部の特定範囲に限定することが望ましい。この構成により、ディスクの表裏面に関係なく、光ディスクを保持することが可能となる。(保持面が情報記録領域にかかる構成の場合、ディスクの記録面側を保持面側とすると、記録面が傷つく危険がある)
【００５１】
また、ディスクホルダ３０をケーシング１１から完全に取り出して、一例として、図１１に示されるように、湾曲した保持面を有するトレイ２１０に載置して搬送することも可能である。この場合にも、光ディスク２０は、湾曲する１組のシート部材３１,３５によって、安定的に挟持されるため、光ディスク２０が、ディスクホルダ３０内部で移動することを回避することが可能となる。
【００５２】
なお、図１２に示されるように、ディスクホルダ３０は、記録再生ユニットに設けられた安定化部材４０の安定化面に載置することで、ディスクホルダ３０のシート部材３１,３５のいずれかを、光ディスク２０を安定して回転させるための安定化部材として利用することができる。
【００５３】
また、上記実施形態では、ケーシング１１に３つのディスクホルダ３０が収容されている場合について説明したが、これに限らず、ケーシング１１へ３つ以上、或いは２つ以下のディスクホルダ３０を収容するようにしてもよい。
【００５４】
また、上記実施形態では、ケーシング１１に収容されたディスクホルダ３０を、ガイド１２Ａ〜１２Ｄ,１３Ａ〜１３Ｄによって湾曲させたが、これに限らず、例えば、ケーシング１１を柔軟な素材で構成し、図１３示されるように、ディスクホルダ３０をケーシング１１とともに湾曲させてもよい。
【００５５】
また、上記実施形態では、可撓性のある光ディスク２０を用いた説明をしたが、これに限らず、本発明は、例えば、磁気ディスクや光磁気ディスクなどの可撓性を有するディスクにも好適である。
【産業上の利用可能性】
【００５６】
以上説明したように、本発明のディスク搬送方法は、可撓性のあるディスクを搬送するのに適している。また、本発明のディスクカートリッジは、可撓性のあるディスクを収容するのに適している。また、本発明の情報記録再生装置は、可撓性のあるディスクに対し、情報の再生及び記録を行なうのに適している。
【図面の簡単な説明】
【００５７】
【図１】本発明の第１の実施形態にかかるディスク装置１００が備えるディスクカートリッジ１０と記録再生ユニット５０の斜視図である。
【図２】光ディスク２０の平面図である。
【図３】ディスクカートリッジ１０のケーシング１１に収容されるディスクホルダ３０を示す図である。
【図４】図４（Ａ）はディスクホルダ３０の斜視図であり、図４（Ｂ）はディスクホルダ３０の展開斜視図である。
【図５】シート部材３１に設けられた位置決め部材３３を示す図である。
【図６】ディスクホルダ３０に収容される光ディスク２０を示す断面図である。
【図７】図７（Ａ）〜図７（Ｃ）は、ディスクホルダ３０から光ディスク２０を取り出す手順を説明するための図である。
【図８】光ディスク２０に対する情報の記録及び再生動作を説明するための図である。
【図９】図９（Ａ）及び図９（Ｂ）はケーシング１１の変形例（その１）を説明するための図である。
【図１０】図１０（Ａ）は搬送アーム２００の概略構成を示す斜視図であり、図１０（Ｂ）は搬送アーム２０による光ディスク２０の保持法について説明するための図である。
【図１１】ディスクホルダ３０の搬送方法の変形例を示す図である。
【図１２】ディスクホルダ３０が安定化部材として使用される例を示す図である。
【図１３】ディスクカートリッジ１０の変形例（その２）を示す図である。
【符号の説明】
【００５８】
１０…ディスクカートリッジ、１１…ケーシング、１１ａ…開口部、１２Ａ〜１２Ｄ,１３Ａ〜１３Ｄ…ガイド、２０…光ディスク、２０ａ…シート、２０ｂ…領域（記録層）、２０ｃ…円形プレート、３０…ディスクホルダ、３１,３５…シート部材、３１ａ…スロット、３２…係止部材、３３…位置決め部材、３５ａ…開口、３５ｂ…切欠部、３５ｃ…ストッパ部、３５ｄ…タグ、３５ｅ…張り出し部、４０…安定化部材、５０…記録再生ユニット、５２…スピンドル、５４…ピックアップ、１００…ディスク装置
【図１】
2008234720.tif 000003
【図２】
2008234720.tif 000004
【図３】
2008234720.tif 000005
【図４】
2008234720.tif 000006
【図５】
2008234720.tif 000007
【図６】
2008234720.tif 000008
【図７】
2008234720.tif 000009
【図８】
2008234720.tif 000010
【図９】
2008234720.tif 000011
【図１０】
2008234720.tif 000012
【図１１】
2008234720.tif 000013
【図１２】
2008234720.tif 000014
【図１３】
2008234720.tif 000015